(57)【要約】【課題】墜落防止用安全器を誤って上下逆向きに装着することを防ぐ。【解決手段】上下方向の親綱Ｗを収納した親綱保持具１に安全ロープＲが接続される押圧部材５を揺動自在に設け、その押圧部材５の揺動軸３は親綱保持具１に回動自在でその揺動軸３端部を進退自在のロック軸１１で固定可能とする。親綱保持具１に、前記ロック軸１１に向かって進退する係止部材１７を設け、係止部材１７は、ロック軸１１の周面又は端面に係止して前記ロック軸１１の揺動軸３との固定状態又は回動可能状態を維持する。その親綱保持具１にストッパ部材２０を上下方向に揺動自在に設け、親綱保持具１を親綱Ｗに正常な向きに装着するとその自重で揺動して前記係止部材１７の進退空間から離脱し、上下逆向きに装着すると係止部材１７の進退空間に入り込んで前記係止部材１７のロック軸１１の係止解除を阻止するようにした。このため、作業者は親綱保持具１を上下逆向きに装着できなくなる。【選択図】図１
2006255301.tif 000002
【特許請求の範囲】
【請求項１】
上下方向の親綱Ｗを溝７を介してその長さ方向に摺動自在に収納した親綱保持具１に、安全ロープＲが接続される押圧部材５をその溝７の長さ方向に沿って揺動自在に設け、その押圧部材５の揺動軸３は前記溝７を跨いでその一端でもって親綱保持具１に回動自在で、その揺動軸３の他端は、前記親綱保持具１に設けたロック軸１１を介して親綱保持具１に固定可能となっており、そのロック軸１１は軸方向に進退可能でその進退によって前記揺動軸３に係止又は離脱して揺動軸３を固定又は回動可能とし、前記親綱Ｗは溝７内に嵌って、前記安全ロープＲを下方へ引くことにより、押圧部材５が溝７内に入り込んで親綱Ｗに圧接することによって親綱Ｗを溝７内に固定し、押圧部材５が溝７内から出る方向に揺動することにより親綱Ｗは溝７内を摺動可能となっており、
前記親綱保持具１に前記ロック軸１１に向かって進退する係止部材１７を設け、その係止部材１７は、前記ロック軸１１の周面又は端面に係止することにより、前記ロック軸１１の前記揺動軸３との固定状態、又は前記ロック軸１１の前記揺動軸３の回動可能状態を維持する墜落防止用安全器において、
前記親綱保持具１に、ストッパ部材２０を上下方向に揺動自在に設け、そのストッパ部材２０は、前記親綱保持具１を前記親綱Ｗに正常な向きに装着するとその自重で揺動して前記係止部材１７の進退空間から離脱し、前記親綱保持具１を親綱Ｗに上下逆向きに装着するとその自重で揺動して前記係止部材１７の進退空間に入り込んで前記係止部材１７のロック軸１１の係止解除を阻止することを特徴とする墜落防止用安全器。
【請求項２】
前記係止部材１７はその中程に上下方向の揺動ピン１８を有して横方向に揺動自在であり、その係止部材１７の先端１７ａが前記ロック軸１１に向かって進退するようになっており、前記ストッパ部材２０は、前記親綱保持具１を親綱Ｗに上下逆向きに装着した際に、前記係止部材１７の後端１７ｂの進退空間に入り込むことを特徴とする請求項１に記載の墜落防止用安全器。
【発明の詳細な説明】
【技術分野】
【０００１】
この発明は、作業者が身に付けた安全帯のロープを、上下方向の親綱に係脱可能に接続するために使用する墜落防止用安全器に関するものである。
【背景技術】
【０００２】
建設作業やビルの窓拭き作業等の高所作業において昇降を伴う場合には、その作業現場の柱、外壁に沿って垂直親綱が設けられ、その親綱に、作業者が身につけた安全帯のロープが接続される。その安全ロープは、通常、墜落防止用安全器を介して前記親綱に係合されているので、作業状況に応じてその親綱との係合を適宜係脱できるようになっている（図６参照）。
【０００３】
従来の墜落防止用安全器の構成は、例えば、図７に示すように、上下方向に設置された親綱Ｗを収納する溝７を有する親綱保持具１に、水平方向の揺動軸３を介して押圧部材５がその溝７の長さ方向に沿って上下方向へ揺動自在に設けられる。前記溝７の一方の側縁には蝶番２が設けられており、前記揺動軸３は前記溝７を跨いで設けられて、その一端でもって前記蝶番２を介して親綱保持具１に回動自在となっている。また、その揺動軸３の他端は、前記蝶番２の対側、すなわち溝７の他方の側縁に設けた軸受部１５内のロック軸１１を介して親綱保持具１に固定可能となっており、そのロック軸１１が、軸方向に進退することにより前記揺動軸３に係止又は離脱して、前記揺動軸３を固定又は回動可能とし得るようになっている。
【０００４】
押圧部材５は、同図に示すように、下向きの断面Ｌ字状を成し、その中程、屈曲部付近に前記揺動軸３が挿通されている。また、その押圧部材５の一端５ａに安全帯ロープＲの接続部６が設けられ、他端５ｂの外側には、上下方向の鋸歯状刃先を有する押圧爪部４を形成している。親綱Ｗは、前記溝７の長さ方向に沿って摺動自在に収納され、前記押圧部材５がその溝７の長さ方向に揺動することにより、その押圧爪部４が前記溝７内に入り込んで前記親綱Ｗに圧接するようになっている。その押圧爪部４は、下方に向かうほど押圧部材５の前記揺動軸３から遠くなる上下方向の弧状面で構成され、その弧状面に前記押圧爪部４が形成されて、圧接した親綱Ｗに噛み合うようになっている。
【０００５】
また、前記ロック軸１１は、図７に示すように、前記溝７の他方の側縁に設けた軸受部１５に挿通されてその軸受部１５内を上下方向に進退可能となっており、ばね１２によって上方へ付勢されている。このロック軸１１の下端には把持部１４が設けられており、ロック軸１１の進退は、この把持部１４を掴んで操作するようになっている。
【０００６】
このロック軸１１を押し下げた状態において、前記揺動軸３及び押圧部材５を蝶番２周りに回動させて、前記押圧爪部４を親綱保持部１内の親綱Ｗに押しつけると、前記揺動軸３先端が前記軸受部１５の切欠き１５ａ内に進入して、その揺動軸３他端に形成した上下方向のロック孔８が前記ロック軸１１上方に位置するようになる。この状態で前記把持部１４を操作すると、ロック軸１１が前記付勢力により上昇して前記ロック孔８に挿通されるので、揺動軸３及び押圧部材５は、前記蝶番２周りに横方向へ動かないよう固定される。その状態で、なお、押圧部材５は、前記揺動軸３周り上下方向に揺動可能となっている。
【０００７】
また、前記親綱保持具１には、前記ロック軸１１に向かって進退する係止部材１７を設けている。前記係止部材１７は、図７に示すように、板状片からなって、その中程で上下方向の揺動ピン１８を介して支持されて水平方向に揺動自在となっており、そのロック軸１１周面に向かってばね１８ａにより付勢されている。またその板状片の先端１７ａが、前記ロック軸１１周面の軸方向位置の異なる位置に形成した二条の凹状スリット１１ａ，１１ｂに係止可能となっている。スリット１１ａ，１１ｂは、それぞれ前記ロック軸１１の周面に環状に形成されており、そのロック軸１１が進退して、各スリット１１ａ，１１ｂのいずれかが軸受部１５の切欠き１５ｂに位置した時にのみ、その各スリット１１ａ，１１ｂに係止部材１７の先端１７ａが係合可能となる。係止部材１７の先端１７ａが、各スリット１１ａ，１１ｂに係止することにより、前記ロック軸１１の前記揺動軸３との固定状態、又は前記ロック軸１１の前記揺動軸３の回動可能状態を維持する
【０００８】
したがって、このロック軸１１の操作において、揺動軸３及び押圧部材５を回動させる間、係止部材１７の先端１７ａを、ロック軸１１周面の前記上方のスリット１１ａに係合させておけば、ロック軸１１を右手で保持し続ける必要がない。
また、ロック軸１１が上昇した後は、係止部材１７の先端１７ａは、その係止部材１７を持つ手を離すと、付勢力により自動的にロック軸１１周面の前記下方のスリット１１ｂに係合するので、ロック軸１１の進退は規制されて、墜落防止用安全器１０は、親綱Ｗとの係合が意に反して外れることが防止される（例えば、特許文献１、特許文献２参照）。
【特許文献１】実登３０７６９１４号公報
【特許文献２】特開２００１−１７５５８号公報
【発明の開示】
【発明が解決しようとする課題】
【０００９】
ところで、上記墜落防止用安全器１０は、その外観上、上下方向の判別が難しいため、作業者が誤って親綱保持具１を上下反転させて親綱Ｗに装着してしまう場合がある。
装着する方向を誤れば、万が一、墜落事故が起こった場合、本発明の実施例の説明図である図４に示すように、ロープＲが下方に引かれることにより、押圧爪部４が前記溝７内から出る方向へ揺動して親綱Ｗを圧接することができない。したがって、安全器１０と親綱Ｗとが係合せず、作業者は落下し墜落を阻止することができない状況となる。
従来は、安全器１０の表面に取り付け方向を示す刻印等を施すことにより、作業者に注意を促してきたが、狭隘な作業現場、あるいは手元の暗い作業現場等では、作業者の目視による確認には誤りが生じ得るので、誤装着を完全に防止し得る充分な対策とはいえなかった。
【００１０】
そこで、この発明は、親綱に対して墜落防止用安全器を、誤って上下逆向きに装着することを防ぐことを課題とする。
【課題を解決するための手段】
【００１１】
上記の課題を解決するために、この発明は、親綱保持具に自重により上下方向に揺動するストッパ部材を設けて、その親綱保持具を親綱Ｗに誤った向きに装着してしまった場合に、そのストッパ部材が揺動して係止部材の進退空間に入り込み、その係止部材によるロック軸の係止解除を阻止するようにしたのである。
このようにすれば、作業者が誤って親綱保持具を上下反転させて親綱Ｗに装着した場合、作業者は、係止部材によるロック軸の係止を解除できずロック軸を操作できない。したがって、親綱保持具を親綱に装着することができない。その結果、作業者は、上下装着方向の誤りを認識することができる。
【発明の効果】
【００１２】
この発明は、以上のようにしたので、親綱に対して墜落防止用安全器を、誤って上下逆向きに装着することを防ぐことができる。
【発明を実施するための最良の形態】
【００１３】
上記手段の具体的実施形態として、墜落防止用安全器は、上下方向の親綱を溝を介してその長さ方向に摺動自在に収納した親綱保持具に、安全ロープが接続される押圧部材をその溝の長さ方向に沿って揺動自在に設け、その押圧部材の揺動軸は前記溝を跨いでその一端でもって親綱保持具に回動自在で、その揺動軸の他端は、前記親綱保持具に設けたロック軸を介して親綱保持具に固定可能となっている。そのロック軸は軸方向に進退可能でその進退によって前記揺動軸に係止又は離脱して揺動軸を固定又は回動可能とし、前記親綱は溝内に嵌って、前記安全ロープを下方へ引くことにより、押圧部材が溝内に入り込んで親綱に圧接することによって親綱を溝内に固定し、押圧部材が溝内から出る方向に揺動することにより親綱は溝内を摺動可能となっている。
【００１４】
その親綱保持具に前記ロック軸に向かって進退する係止部材を設け、その係止部材は、前記ロック軸の周面又は端面に係止することにより、前記ロック軸の前記揺動軸との固定状態、又は前記ロック軸の前記揺動軸との回動可能状態を維持するようになっている。
【００１５】
上記構成の親綱保持具に、ストッパ部材を上下方向に揺動自在に設け、そのストッパ部材は、前記親綱保持具を前記親綱に正常な向きに装着するとその自重で揺動して前記係止部材の進退空間から離脱し、前記親綱保持具を親綱に上下逆向きに装着するとその自重で揺動して前記係止部材の進退空間に入り込んで前記係止部材のロック軸の係止解除を阻止するようにしたのである。
【００１６】
このようにすれば、親綱保持具を親綱に正常な向きに装着した場合、ストッパ部材は、自重で揺動して前記係止部材の進退空間から離脱するので、作業者は、係止部材を進退操作できる。したがって、作業者は、係止部材によるロック軸の係止を解除して、ロック軸、揺動軸を操作して、親綱保持具を親綱に装着することができる。
一方、作業者が誤って親綱保持具を親綱に上下逆向きに装着した場合、係止部材の進退が阻止されているので、係止部材はロック軸への係止が維持され、作業者は、ロック軸を操作できない。したがって、作業者は、親綱保持具を親綱に装着することができない。その結果、作業者は、上下装着方向の誤りを認識することができる。
【００１７】
また、上記の構成において、前記係止部材はその中程に上下方向の揺動ピンを有して横方向に揺動自在であり、その係止部材の先端が前記ロック軸に向かって進退するようになっており、前記ストッパ部材は、前記親綱保持具を親綱に上下逆向きに装着した際に、前記係止部材の後端の進退空間に入り込むようにした構成を採用し得る。
【００１８】
このようにすれば、ストッパ部材は、ロック軸から離れた位置に設けることができるので、ロック軸近傍の構造を複雑化することなく、また、そのロック軸等の操作にも支障しない。
なお、上記上下方向の親綱は法面に沿って上下方向に傾斜して設けてもよい。この場合、安全器（親綱保持具）の水平方向に対する傾斜角度が、正規の装着方向に対して上下逆方向に０度以上の角度にならない限り、上記係止部材の進退を阻害しないようにし、そのストッパ部材の作動角度は、安全器のわずかな傾斜角度でもって前記係止部材の進退空間に入り込むように設定するようにすれば、緩やかな傾斜角度を有する法面に設置された親綱であっても対応可能である。
【実施例】
【００１９】
一実施例を図１乃至図６に基づいて説明する。この実施例の墜落防止用安全器は、図６に示すように、作業者Ｍが身につけた安全帯の胴ベルト（ハーネス）ＨにＤ型断面を有する環状部材Ｄが取り付けられており、その環状部材Ｄに接続された安全ロープＲを、作業現場の柱、あるいは外壁に沿って設けた垂直親綱Ｗに係脱可能に接続するために使用する墜落防止用安全器１０である。
【００２０】
その主要な構成、及び基本的動作は、図７に示す従来例と同様であるので説明を省略し、係止部材１７、及びストッパ部材２０等の構成と作用について説明する。
【００２１】
前記係止部材１７は、前述のように、その中程に上下方向の揺動ピン１８を有して親綱保持具１に対して横方向に揺動自在であり、その揺動により、係止部材１７の先端１７ａが前記ロック軸１１に向かって進退するようになっている。また、その先端１７ａがロック軸１１へ向かう方向へバネ１８ａで付勢されている。
【００２２】
一方、ストッパ部材２０は、図１（ａ）に示すように、親綱保持具１の前記係止部材１７のやや下方に回転軸２１を介して上下方向に揺動自在となっており、そのストッパ部材２０は、親綱保持具１の向きに応じて、その自重により揺動する。
【００２３】
図１（ａ）に示すように、親綱保持具１を上下方向正しい向きに保持している場合には、ストッパ部材２０は、その自重で下方に揺動してその先端２０ａが前記係止部材１７の後端１７ｂ進退空間から離脱している。このため、前記係止部材１７は、揺動可能状態にあるので、図１（ｂ）に矢印で示す方向へ、指で係止部材１７の操作部１９を押えれば、係止部材１７は揺動して、前記先端１７ａは、ロック軸１１から退去し、係止が解除される。
【００２４】
係止部材１７の係止が解除されれば、ロック軸１１を下方に引いて、前記揺動軸３及び押圧部材５を蝶番２周りに回動させ、前記溝７内に親綱Ｗを収納することができる。収納後、再度前記揺動軸３を逆方向へ回動させて、前記押圧爪部４を親綱保持部１内の親綱Ｗに押しつけるとともに、その揺動軸３の先端のロック孔８を前記軸受部１５の切欠き１５ａ内に進入させて、そのロック孔８にロック軸１１を挿通する。このようにして、揺動軸３及び押圧部材５は、前記蝶番２周りに横方向へ動かないよう固定される。
この状態で、図２（ａ）に示すように、安全ロープＲを上方へ引けば、また、前記押圧部材５が、時計回りに揺動することにより、その押圧爪部４が前記溝７内から出て前記親綱Ｗの圧接が弱まるので、親綱Ｗが溝７内に摺動可能となり、安全ロープＲは親綱Ｗへの係合が解除される。安全器１０は、親綱Ｗに摺動可能な状態である。
【００２５】
万が一、作業者Ｍが足を踏み外して転落し、図２（ｂ）に示すように、その墜落を阻止する荷重Ｆが安全ロープＲに作用すると、押圧部材５は反時計回りへと揺動し、押圧爪部４がより深く溝７内に入り込んで、図中矢印Ｇの方向へ親綱Ｗを強く圧接し、安全器１０は強固に親綱Ｗに係合する。
【００２６】
一方、図４に示すように、前記親綱保持具１を親綱Ｗに上下逆向きに装着すると、ストッパ部材２０は、その自重で揺動してその先端２０ａが前記係止部材１７の後端１７ｂ進退空間に入り込む。ストッパ部材２０の先端２０ａが、前記係止部材１７の進退空間に入り込んだ状態を、図５（ａ）（ｂ）に示す。
先端２０ａは、係止部材１７の後端１７ｂと親綱保持具１の外周面との間に入り込んでいるので、図５（ａ）に矢印で示す方向へ係止部材１７の操作部１９を押して、前記揺動ピン１８回りに揺動させようとしても、係止部材１７の揺動は阻止される。すなわち、前記係止部材１７の先端１７ａをロック軸１１から退去させることができず、その係止部材１７によるロック軸１１の係止解除は阻止される。
したがって、作業者は、親綱保持具１を親綱Ｗに装着することができず、上下装着方向の誤りを認識することができる。
【００２７】
なお、安全器１０は、上記上下方向の親綱Ｗが、法面に沿って上下方向に傾斜して設けられている場合にも対応可能となっており、安全器１０の水平方向に対する傾斜角度、すなわち親綱保持具１の溝７の方向が、その親綱Ｗに対する正しい装着方向に対して上下逆方向に０度以上の角度にならない限り、上記係止部材１７の進退を阻害しないようになっている。且つ、そのストッパ部材２０の作動角度、すなわち、ストッパ部材２０が揺動してその先端２０ａが係止部材１７の進退空間に入り込む際の安全器１０の装着角度は、水平方向に対してわずかな傾斜角度に設定されている。
これは、前記先端２０ａが、ストッパ部材２０を支持する回転軸２１の軸中心と、そのストッパ部材２０の重心とを通る中心線よりも、やや係止部材１７の進退空間側に突出して設けられていることによるものである。このように設定すれば、安全器１０のわずかな傾斜であっても先端２０aが前記進退空間に入り込んで、ロック軸１１への係止解除を阻止することができる。したがって、緩やかな傾斜角度を有する法面に設置された親綱Ｗであっても対応可能となる。
【００２８】
なお、この実施例では、揺動軸３にロック孔８を形成して、そのロック孔８にロック軸１１を挿通するようにして揺動軸３を固定したが、この固定方法には限定されず、例えば、特許文献２のように、ロック軸を揺動軸の周面に当接させて、その当接により揺動軸を横方向に拘束するようにしてもよい。また、係止部材１７の態様は、この実施例のように、ロック軸１１の周面のスリット１１ａ，１１ｂに係止するようにした構成のほか、ロック軸１１の端面を係止するようにした構成であってもよい。
【図面の簡単な説明】
【００２９】
【図１】一実施例の斜視図
【図２】同実施例の墜落防止用安全器の作用を示し、（ａ）は親綱との係合が完全に外れた状態、（ｂ）は親綱と係合した状態を示す正面図
【図３】同実施例の平面図
【図４】同実施例の正面図で、親綱保持具を上下逆向きに装着した状態を示す
【図５】同実施例の要部拡大図で、（ａ）はストッパ部材が係止部材の進退空間に入り込んだ状態を示す斜視図、（ｂ）はその平面図
【図６】墜落防止用安全器の使用状態を示す説明図
【図７】従来例の斜視図
【符号の説明】
【００３０】
１  親綱保持具
２  蝶番
３  揺動軸
４  押圧爪部
５  押圧部材
６  接続部
６ａ  ピン
７  溝
８  ロック孔
１０  墜落防止用安全器
１１  ロック軸
１１ａ，１１ｂ  スリット
１２，１８ａ  ばね
１３  支持部
１４  把持部
１５  軸受部
１７  係止部材
１７ａ  先端
１７ｂ  後端
１８  揺動ピン
１９  操作部
２０  ストッパ部材
２０ａ  先端
２１  回転軸
Ｒ  安全ロープ
Ｗ  親綱
【図１】
2006255301.tif 000003
【図２】
2006255301.tif 000004
【図３】
2006255301.tif 000005
【図４】
2006255301.tif 000006
【図５】
2006255301.tif 000007
【図６】
2006255301.tif 000008
【図７】
2006255301.tif 000009